(57)【特許請求の範囲】
【請求項１】
上方に向けて開放される開口部が形成されたケースと、前記開口部を閉じた状態から回動し起立して当該開口部を開くリッドと、を備える車室内用可動蓋付き容器において、
起立するまでの間に傾斜状態となる前記リッドの傾斜下方側に位置する前記ケースの側壁の内壁面に、前記ケース内に落下した物品を当該ケースの底部に設定された物品回収部に向けて案内するガイド路を設け、
前記ガイド路を、前記物品回収部に向けて斜め下方に延設されて物品の下縁を支持し物品を前記内壁面に立てかけた状態で移動させる突条または凹溝として形成し、
前記物品回収部を、前記ケース内に着脱可能に収容されるインナケースを取り外して露出するように設け、
前記ケースに、前記インナケースを着脱可能に収容するインナケース収容凹部と、前記インナケース収容凹部の少なくとも底部を前記内壁面側に開放する物品導入口と、を設け、
前記ガイド路を前記物品導入口に向けて延設し、前記インナケース収容凹部の底面と前記インナケースの底壁との間の隙間に前記物品回収部を設定し、
前記リッドの裏面に、該リッドが閉じた状態で前記インナケースを密閉状態で閉塞する弾性体からなるシール部材を設け、
前記リッドが開いて起立した状態で前記シール部材の一部が前記インナケースを押圧してその反力により前記リッドを前記突条または凹溝として形成した前記ガイド路側に押圧することを特徴とする可動蓋付き容器。
【請求項２】
前記物品回収部に、回収された物品が移動するのを抑制する障壁部を設けたことを特徴とする請求項１に記載の可動蓋付き容器。
【請求項３】
前記インナケースとしての吸殻回収容器を含む灰皿部を備えることを特徴とする請求項１または２に記載の可動蓋付き容器。
【発明の詳細な説明】
【技術分野】
【０００１】
本発明は、可動蓋付き容器に関する。
【背景技術】
【０００２】
従来、容器内に形成された蓋体格納部と収納物を入れる収納部とを連通させ、蓋体格納部内にコイン等の物品が誤って落下した場合に、当該落下した物品を収納部から取り出せるようにした可動蓋付き容器が知られている（特許文献１）。
【特許文献１】特開２００１−３２２４７５号公報
【発明の開示】
【発明が解決しようとする課題】
【０００３】
しかしながら、かかる構成では、収納部に何らかの収納物が存在していた場合には、誤って落下した物品が当該収納物に引っ掛かって不都合な位置に留まり、落下した物品を回収し難くなるばかりか、当該物品が蓋体と干渉して蓋体の開閉に支障を来す虞があった。
【０００４】
そこで、本発明は、容器内に落下した物品が不都合な位置に留まるのを抑制して当該物品をより円滑に回収することが可能な可動蓋付き容器を得ることを目的とする。
【課題を解決するための手段】
【０００５】
本発明にあっては、上方に向けて開放されるケースの開口部を閉じた状態から回動し起立して当該開口部を開くリッドを備え、起立するまでの間に傾斜状態となるリッドの傾斜下方側に位置するケース側壁の内壁面に、ケース内に落下した物品を当該ケースの底部に設定された物品回収部に向けて案内するガイド路を設け、ガイド路を、物品回収部に向けて斜め下方に延設されて物品の下縁を支持し物品を内壁面に立てかけた状態で移動させる突条または凹溝として形成し、物品回収部を、ケース内に着脱可能に収容されるインナケースを取り外して露出するように設け、ケースに、インナケースを着脱可能に収容するインナケース収容凹部と、インナケース収容凹部の少なくとも底部を内壁面側に開放する物品導入口と、を設け、ガイド路を物品導入口に向けて延設し、インナケース収容凹部の底面とインナケースの底壁との間の隙間に物品回収部を設定し、リッドの裏面に、該リッドが閉じた状態でインナケースを密閉状態で閉塞する弾性体からなるシール部材を設け、リッドが開いて起立した状態でシール部材の一部がインナケースを押圧してその反力によりリッドを突条または凹溝として形成したガイド路側に押圧することを最も主要な特徴とする。
【発明の効果】
【０００６】
本発明によれば、ケース内に落下した物品を所定の経路で物品回収部に向けてより円滑に移動させることができるので、当該物品が不都合な位置に留まるのを抑制して、より円滑に回収することができる。
また、本発明によれば、ガイド路を、物品回収部に向けて斜め下方に延設されて物品の下縁を支持し当該物品を内壁面に立てかけた状態で移動させる突条または凹溝として形成した。このため、突条または凹溝を比較的簡素な構成として得ることができ、製造コストの増大を抑制することができる。
また、本発明によれば、ケース内に着脱可能に収容されるインナケースを備え、物品回収部をインナケースを取り外して露出するように設けた。これにより、インナケースの機能と物品回収機能とを分離することができるため、回収された物品によってインナケースの機能が損なわれるのを抑制し、かつインナケース内の収容物等によって物品の移動が阻害されたり物品に何らかの不具合が生じたりするのを抑制することができる。
また、本発明によれば、ケースに、インナケースを着脱可能に収容するインナケース収容凹部と、当該インナケース収容凹部の少なくとも底部を内壁面側に開放する物品導入口と、を設け、ガイド路を物品導入口に向けて延設し、インナケース収容凹部の底面とインナケースの底壁との間の隙間に物品回収部を設けた。かかる構成により、物品の回収位置をインナケース収容凹部の底部として認識しやすくなる。
【発明を実施するための最良の形態】
【０００７】
以下、本発明の実施形態について図面を参照しながら詳細に説明する。図１〜図６は、本発明の実施形態にかかる可動蓋付き容器としてのアッシュトレイユニットを示している。このうち、図１は、アッシュトレイユニットのリッド閉状態での斜視図、図２は、アッシュトレイユニットのリッド開状態での斜視図、図３は、図２の状態からインナケースとしての吸殻回収容器を取り外した状態を示す斜視図、図４は、吸殻回収容器を取り外しリッドを取り除いた状態でのアッシュトレイユニットの平面図、図５は、図２のV−V断面図、図６は、図３のVI−VI断面図である。なお、各図中、前方をＦＲ、右方をＲＨ、上方をＵＰと記す。
【０００８】
本実施形態にかかる可動蓋付き容器としてのアッシュトレイユニット１は、自動車等の車両の車室内に設けられる。なお、上記ＦＲ，ＲＨ，ＵＰの各方向は、車両に取り付けられた状態での方向を示している。
【０００９】
このアッシュトレイユニット１は、上方に向けて開放されて平面視で略矩形状に形成された開口部２ａが形成されたケース２と、開口部２ａを開閉可能に塞ぐリッド３と、を備えている。ケース２およびリッド３は、例えば不燃性の合成樹脂を所定形状に成形した部品を含む複数の部品をアセンブリして構成され、これらケース２およびリッド３をアセンブリしてアッシュトレイユニット１が構成されている。
【００１０】
リッド３は、開口部２ａの短辺の略中央位置間を結び長辺に沿って（本実施形態では横方向（右方ＲＨ）に沿って）伸びる回動軸Ａｘを中心として、ケース２の側壁部２ｂ，２ｂに回動可能に支持されている。図２，図５，図６に示すように、リッド３が回動軸Ａｘ回りに回動して起立すると、開口部２ａが開放される。
【００１１】
本実施形態では、リッド３を開く際に、その回動方向（図２中の曲線矢印ＯＰ方向）の先方側となる部分（没入部分３ａ）は、ケース２の開口部２ａからケース２内に没入するようになっている。これに対応して、ケース２には、リッド３の没入部分３ａを収容するリッド収容凹部２ｃを形成してある。
【００１２】
図２に示すように、ケース２には、吸殻回収容器４ａを含む灰皿部４と、シガーライター５ａを着脱可能に取り付けるソケット部５と、を回動軸Ａｘに沿って並べて設けてある。
【００１３】
灰皿部４には、ケース２を下方に向けて凹設した凹部４ｂが設けられており、この凹部４ｂに、吸殻回収容器４ａを着脱可能に収容できるようになっている。本実施形態では、ケース２に設けられた弾性的に撓む係合爪部２ｄ（図４参照）と、吸殻回収容器４ａに固定された図示しない突起部とによってスナップフィット機構が構築されている。すなわち、吸殻回収容器４ａを凹部４ｂの奥に向けて押し込むと係合爪部２ｄが撓みながら突起部を相対的に乗り越え、吸殻回収容器４ａが最奥部に挿入された状態では、係合爪部２ｄと突起部とが係合することにより吸殻回収容器４ａが凹部４ｂに装着される。一方、吸殻回収容器４ａを手指等で把持して引っ張り上げると、その引張力によって突起部に押された係合爪部２ｄが撓み、それら突起部と係合爪部２ｄとの係合が解除されるようになっている。本実施形態では、この吸殻回収容器４ａがインナケースに相当し、凹部４ｂがインナケース収容凹部に相当する。
【００１４】
凹部４ｂは、図４に示すように、リッド収容凹部２ｃ側を除く側方三方を側壁部４ｃで囲まれている。リッド収容凹部２ｃ側には、上下に亘る切欠部４ｄが形成されている。切欠部４ｄの下部には、両側から切欠部４ｄの内方に向けて突出するフランジ部４ｅが形成されている。これら側壁部４ｃとフランジ部４ｅによって、吸殻回収容器４ａの横方向の位置決めがなされている。
【００１５】
また、本実施形態では、図５に示すように、凹部４ｂの底面４ｆは略平坦面となっており、リッド収容凹部２ｃの底面２ｅと滑らかに繋がっている。そして、吸殻回収容器４ａを凹部４ｂに収容した状態で、吸殻回収容器４ａの底壁４ｇと凹部４ｂの底面４ｆとの間に、略一定高さで横方向に拡がる隙間４ｈを形成してある。
【００１６】
ソケット部５には、図２、図５等に示すように、ケース２を下方に向けて凹設した凹部５ｂが形成されており、この凹部５ｂの底壁部５ｃに、正極および負極（いずれも図示せず）が露出形成された略有底円筒状のソケット５ｄが固定されている。このソケット５ｄにシガーライター５ａを嵌挿して装着できるようになっている。
【００１７】
リッド３は、吸殻回収容器４ａおよびシガーライター５ａが正しく装着された状態で、略水平な姿勢で開口部２ａを閉塞する。なお、リッド３の裏面３ｂには、ゴム等の弾性体からなるシール部材３ｃが取り付けられており、リッド３を閉じた状態で、このシール部材３ｃによって吸殻回収容器４ａが略密閉状態で閉塞されるようにしてある。
【００１８】
ケース２には、コイルばね（図示せず）等を含み、リッド３を回動軸Ａｘ回りに開方向（図２中の曲線矢印ＯＰ方向）に向けて付勢する付勢機構が設けられている。また、ケース２には、図１〜３に示すように、リッド３を閉じた状態で当該リッド３の一部分（本実施形態ではアーム３ｄの突起部３ｅ）をケース２側にロックするプッシュオン・プッシュオフ式のロック機構６が設けられている。したがって、図１の閉じたリッド３の先端部３ｆを図１中の矢印Ｆ方向に押し込むと、ロック機構６にアーム３ｄの突起部３ｅが押し込まれてロックが解除され、付勢機構によって付勢されたリッド３が図２中の曲線矢印ＯＰ方向に回動し、開口部２ａが開放される。リッド３の閉操作は手動にて行われる。すなわち、図２の開いたリッド３を手指等で押して図１中の曲線矢印ＣＬ方向に回動させ、開操作時と同様にリッド３の先端部３ｆを図１中の矢印Ｆ方向に押し込むと、ロック機構６にアーム３ｄの突起部３ｅが押し込まれてロックされ、リッド３が閉状態で維持される。
【００１９】
リッド３の天面３ｇは、閉状態では、図１に示すように略水平な状態となっているのに対し、開状態では、図２に示すように垂直に近い状態となっている。よって、リッド３が開状態から閉状態に移動する際、天面３ｇは、回動先端側の没入部分３ａ側を下とする姿勢で傾斜することになる。
【００２０】
したがって、本実施形態では、リッド３の閉状態で天面３ｇに物品としてのコインＣが載置されている状態でリッド３の開操作を行うと、リッド３の回動に伴う傾斜によって当該コインＣが天面３ｇに沿って滑り落ち、リッド収容凹部２ｃ内に不本意に落下する場合がある。また、リッド３の閉状態でも、コインＣがリッド３と後壁部２ｇとの間の隙間７からリッド収容凹部２ｃ内に落下してしまう場合がある。
【００２１】
そこで、ケース２内に落下したコインＣを回収するため、本実施形態では、傾斜状態となったリッド３の傾斜下方側に、上記側壁部２ｂとは別の側壁として、後壁部２ｇを設けてある。そして、後壁部２ｇのリッド収容凹部２ｃに面する内壁面２ｈを、下方に向かうにつれてリッド３の開放側（回動軸Ａｘに対してリッド収容凹部２ｃの反対側）に向かう傾斜面として形成してある。具体的には、後壁部２ｇは、リッド３の没入部分３ａの先端部３ｈの回動軌跡Ｔ（図５）に沿って略円弧状に形成され、その内壁面２ｈは、当該回動軌跡Ｔと間に略一定の隙間Ｇ（図５）を保つように形成されている。隙間Ｇは、コインＣの厚みより大きくしてある。
【００２２】
さらに、内壁面２ｈに、ケース２内に落下したコインＣをケース２の底部に設定された物品回収部としてのコイン回収部８に向けて案内するガイド路９を設けてある。
【００２３】
本実施形態では、図３〜図６に示すように、灰皿部４の凹部４ｂの底面４ｆと吸殻回収容器４ａの底壁４ｇとの間に形成された隙間４ｈを、コイン回収部８としている。そして、内壁面２ｈに、ガイド路９として、コイン回収部８となる凹部４ｂに向けて、回動軸Ａｘの両端側かつ上側から幅方向内側かつ下側へ斜め下方に伸びる二本の突条２ｉを設けてある。
【００２４】
突条２ｉは、図５に示すように、コインＣの下縁を支持し、コインＣを、内壁面２ｈに立てかけた状態（Ｃ１）で、その延在方向（斜め下方）に向けて転動あるいは摺動させる。この場合、コインＣとの接触面２ｊの幅をコインＣの厚みと略同じかより大きく設定し、接触面２ｊを幅方向には略水平かあるいはやや上向きに傾斜させるのが好適である。
【００２５】
内壁面２ｈの傾斜角度は、コインＣが立てかけられる領域では、回動軸Ａｘが側壁部２ｂの上部に設定されているため、下方に向かうにつれて緩やかになっている。このため、コインＣは、突条２ｉを伝って下方に向けて移動するにしたがって徐々に傾き、リッド収容凹部２ｃの底面２ｅ上での伏臥姿勢（Ｃ２）にスムーズに移行することができる。なお、内壁面２ｈ（突条２ｉ）から底面２ｅへのコインＣの移動をよりスムーズに行うため、内壁面２ｈと底面２ｅとを曲面で滑らかに繋げてもよい。
【００２６】
また、本実施形態では、図４に示すように、切欠部４ｄの下端部（フランジ部４ｅ，４ｅ間）がコイン回収部８へのコイン導入口（物品導入口）１０となる。このとき、突条２ｉ，２ｉの下端部２ｋ，２ｋは、平面視で、切欠部４ｄの両端縁（フランジ部４ｅの内側端縁）４ｉ，４ｉより当該切欠部４ｄの幅方向（横方向）内側に配置してある。これにより、コインＣがコイン導入口１０の端縁４ｉ，４ｉに干渉してコイン回収部８に進入し難くなるのを抑制することができる。
【００２７】
上記構成では、リッド収容凹部２ｃ内に落下したコインＣは、後壁部２ｇに捕捉され、自重により、内壁面２ｈ上を滑落する。その後、突条２ｉに到達して係止されたコインＣは、その下縁を突条２ｉに支持されかつ内壁面２ｈに立てかけられた状態で突条２ｉを伝ってその下端部２ｋに向けて移動し、さらにコイン導入口１０を経由してコイン回収部８内に進入する。コイン導入口１０に対応して突条２ｉが形成されていない部位の上方に落下したコインＣは、内壁面２ｈ上を滑落して、突条２ｉに係止されることなくそのままコイン導入口１０からコイン回収部８内に進入する。すなわち、本実施形態では、内壁面２ｈを、下方に向かうにつれてリッド３の開放側（回動軸Ａｘに対してリッド収容凹部２ｃの反対側）に向かう傾斜面として形成したため、外からコインＣにアクセスしやすい当該開放側にコイン回収部８を設けて、より円滑な回収を実現できる。さらに、ガイド路９としての突条２ｉによって、内壁面２ｈの回動軸Ａｘに沿う方向のほぼ全域から、より確実にコインＣを回収することができる。
【００２８】
コイン回収部８は、側壁部４ｃとフランジ部４ｅとによって略Ｃ字状に囲まれており、これら側壁部４ｃおよびフランジ部４ｅが、コインＣの移動を抑制する障壁部として機能している。なお、凹部４ｂの底面をさらに凹設して凹部を形成し、この更なる凹部の側壁を障壁部として機能させてもよい。また、コイン導入口１０側にも障壁部を形成し、コイン回収部８からコインＣの内壁面２ｈ側に戻るのを抑制するのが好適である。一例としては、リッド収容凹部２ｃ側の底面２ｅと凹部４ｂの底面４ｆとの間に、底面４ｆ側を低くする段差を設け、この段差の側壁を障壁部として機能させることができる。
【００２９】
そして、図３，図４，図６に示すように、上記構成では、吸殻回収容器４ａを凹部４ｂから取り外すことで、コイン回収部８および当該コイン回収部８に収容されたコインＣ（Ｃ３）を露出させることができる。このとき、図６に示すように、凹部４ｂの起立したリッド３の反対側となる側面４ｊは、上方に向かうにつれてリッド３と反対側（すなわちアッシュトレイユニット１の使用者にとって手前側、図６中右上方）に向けて傾斜し、凹部４ｂが開口部２ａ側に向けて拡大するように形成されているため、コインＣをこの側面４ｊに沿わせて容易に取り出すことができる。
【００３０】
以上、説明したように、本実施形態によれば、起立するまでの間に傾斜状態となるリッド３の傾斜下方側に位置するケース２の側壁としての後壁部２ｇの内壁面２ｈに、ケース２（リッド収容凹部２ｃ）内に落下したコインＣを当該ケース２の底部に（その一部分として）設定されたコイン回収部８に向けて案内するガイド路９を設けた。よって、落下したコインＣが不都合な位置に留まってリッド３の回動の障害となったり、コインＣが取りにくくなったりするのを抑制することができる。
【００３１】
また、本実施形態では、ガイド路９を、コイン回収部８に向けて斜め下方に延設されてコインＣの下縁を支持し当該コインＣを内壁面２ｈに立てかけた状態で移動させる突条２ｉとして形成した。このため、突条２ｉを比較的簡素な構成として得ることができ、製造コストの増大を抑制することができる。なお、突条２ｉに替えて凹溝を設けた場合にあっても、当該凹溝の底面でコインＣの下縁を支持して、コインＣを凹溝に沿って転動あるいは摺動させることができ、本実施形態と同様の効果を得ることができる。
【００３２】
また、本実施形態では、コイン回収部８に回収されたコインＣが移動するのを抑制する障壁部として、側壁部４ｃおよびフランジ部４ｅを設けた。このため、回収されたコインＣをコイン回収部８内により確実に留まらせることができる。また、コイン回収部８内でのコインＣの移動量を小さくしてコインＣの移動に伴って異音が生じるのを抑制することができる。
【００３３】
また、本実施形態では、ケース２内に着脱可能に収容されるインナケースとして吸殻回収容器４ａを備え、コイン回収部８を吸殻回収容器４ａを取り外して露出するように設けた。これにより、インナケースの機能（吸殻を収容する機能）とコイン回収機能とを分離することができるため、回収されたコインＣによってインナケースの機能が損なわれるのを抑制し、かつインナケース内の収容物等によってコインＣの移動が阻害されたりコインＣに何らかの不具合が生じたりするのを抑制することができる。なお、吸殻回収容器以外の容器（例えば小物や飲料その他の容器等）をインナケースとして用いることも勿論可能である。
【００３４】
また、本実施形態では、ケース２に、インナケースとしての吸殻回収容器４ａを着脱可能に収容する凹部４ｂと、当該凹部４ｂの少なくとも底部を内壁面２ｈ側に開放するコイン導入口１０と、を設け、ガイド路９をコイン導入口１０に向けて延設し、凹部４ｂの底面４ｆと吸殻回収容器４ａの底壁４ｇとの間の隙間４ｈにコイン回収部８を設けた。かかる構成により、コインＣの回収位置を凹部４ｂの底部として認識しやすくなる上、コインＣが移動するのを抑制する障壁部を、凹部４ｂの側壁部４ｃ等として容易に得ることができる。
【００３５】
また、本実施形態では、可動蓋付き容器を、インナケースとしての吸殻回収容器４ａを含む灰皿部４と、シガーライター５ａを着脱可能に装着するソケット部５と、を備えたアッシュトレイユニット１として構成した。すなわち、灰皿部４とソケット部５とを有するアッシュトレイユニット１において、ケース２内に不本意に落下したコインＣをより確実にかつより容易に回収することができる。
【００３６】
以上、好適な実施形態について説明したが、本発明は上記実施形態には限定されず、種々の変形が可能である。例えば、本発明を車両用のアッシュトレイユニット以外の可動蓋付き容器として実施することも可能である。また、上記構成は、コイン以外の物品に対しても有効であり、コイン以外の物品を回収することも可能であるし、コイン以外の物品をより回収しやすくなるように上記構成を適宜に変更することも可能である。
【図面の簡単な説明】
【００３７】
【図１】本発明の実施形態にかかる可動蓋付き容器としてのアッシュトレイユニットの斜視図であって、リッドの閉状態を示す図である。
【図２】本発明の実施形態にかかる可動蓋付き容器としてのアッシュトレイユニットの斜視図であって、リッドの開状態を示す図である。
【図３】本発明の実施形態にかかる可動蓋付き容器としてのアッシュトレイユニットの斜視図であって、リッドを開きインナケースとしての吸殻回収容器を取り外した状態を示す図である。
【図４】本発明の実施形態にかかる可動蓋付き容器としてのアッシュトレイユニットの平面図であって、リッドを取り除きかつインナケースとしての吸殻回収容器を取り外した状態を示す図である。
【図５】図２のV−V断面図である。
【図６】図３のVI−VI断面図である。
【符号の説明】
【００３８】
１  アッシュトレイユニット（可動蓋付き容器）
２  ケース
２ａ  開口部
２ｇ  後壁部（側壁）
２ｈ  内壁面
２ｉ  突条（ガイド路）
３  リッド
４  灰皿部
４ａ  吸殻回収容器（インナケース）
４ｂ  凹部（インナケース収容凹部）
４ｃ  側壁部（障壁部）
４ｅ  フランジ部（障壁部）
４ｆ  底面
４ｇ  底壁
４ｈ  隙間（物品回収部）
８  コイン回収部（物品回収部）
９  ガイド路
１０  コイン導入口（物品導入口）
Ｃ  コイン（物品）
【図１】
0005245451.tif 000002
【図２】
0005245451.tif 000003
【図３】
0005245451.tif 000004
【図４】
0005245451.tif 000005
【図５】
0005245451.tif 000006
【図６】
0005245451.tif 000007